Podtech/llm-jp-corpus-v4-ja_patent huggingface dataset:
【手続補正書】
【提出日】平成24年6月18日(2012.6.18)
【手続補正１】
【補正対象書類名】特許請求の範囲
【補正対象項目名】全文
【補正方法】変更
【補正の内容】
【特許請求の範囲】
【請求項１】
フッ素標識化合物の合成方法であって、
（ａ）（ｉ）ヨードニウム塩又はその保護バージョン及び（ｉｉ）フリーラジカル捕捉剤を有機溶媒に溶解してなるヨードニウム塩溶液を用意する段階、
（ｂ）段階（ａ）の前記溶液を、前記溶液の凝固点より高くかつ３０℃以下の貯蔵温度で、３時間以上の貯蔵期間にわたり貯蔵容器内に貯蔵する段階、並びに
（ｃ）段階（ｂ）に続き、前記溶液をフッ化物イオン源で処理して前記フッ素標識化合物を生成する段階
を含んでなる方法。
【請求項２】
前記ヨードニウム塩が次の式Ｉの化合物である、請求項１記載の方法。
【化１】
2011530572.tif 000001
式中、
Ｒ1〜Ｒ5の各々は、水素、ニトロ、シアノ、ハロ、Ｃ1-10ヒドロキシアルキル、Ｃ2-10カルボキシアルキル、Ｃ1-10アルキル、Ｃ2-10アルコキシアルキル、Ｃ1-10アミノアルキル、Ｃ1-10ハロアルキル、Ｃ6-14アリール、Ｃ3-12ヘテロアリール、Ｃ3-20アルキルアリール、Ｃ2-10アルケニル、Ｃ2-10アルキニル、Ｃ1-10アシル、Ｃ7-10アロイル、Ｃ2-10カルボアルコキシ、Ｃ2-10カルバモイル及びＣ2-10カルバミル並びにこれらの基のいずれかの保護バージョンから独立に選択されるＲ基であるか、或いは２つの隣接するＲ基がこれらと結合した炭素原子と共に四員乃至六員環又はその保護バージョンを形成し、
Ｑは任意にはＣ2-6アルケニレン基を介してＩ+に結合されたＣ5-14アリール基又はＣ4-13ヘテロアリール基を表し、Ｑは０〜３のＲ6置換基を有していて、各Ｒ6はハロ、シアノ、ニトロ、−Ｃ（＝Ｏ）、−Ｅ、−ＯＥ、−ＯＣ（Ｏ）Ｅ、−Ｃ（＝Ｏ）ＯＥ、−ＳＯ2Ｅ、−ＳＥ、−ＮＥ2、−Ｃ（＝Ｏ）ＮＥ2及び−Ｎ（Ｅ）ＣＯＥ（式中、Ｅの各々は水素、Ｃ1-6アルキル、Ｃ1-5ヘテロアルキル、Ｃ2-6アルケニル、Ｃ2-6アルキニル、Ｃ1-6アルコキシアルキル、Ｃ1-6ハロアルキル、Ｃ2-6ハロアルケニル、Ｃ2-6ハロアルキニル、Ｃ1-6ハロアルコキシ−Ｃ1-6アルキル、Ｃ4-12シクロアルキル、Ｃ4-12ヘテロシクロアルキル、Ｃ5-12アリール及びＣ4-13ヘテロアリールから選択される。）並びにこれらの基のいずれかの保護バージョンから選択されるＲ*基であり、ただしＲ*は水素でないことが条件であり、いずれか２つの隣接するＲ*基がこれらと結合した炭素原子と共に四員乃至六員環を形成してもよく、これらのＲ*基のいずれかがＣ1-6アルキレンを介してＱに結合していてもよく、ヒドロカルビルＲ6基は任意には１以上のＲ7基で置換され、ヒドロカルビルＲ7基は任意には１以上のＲ8基で置換され、Ｒ7及びＲ8は共にＲ*基であり、
Ｙ-は、好適にはトリフルオロメタンスルホネート（トリフレート）、メタンスルホネート（メシレート）、トリフルオロアセテート、トルエンスルホネート（トシレート）及びペルフルオロＣ2〜Ｃ10アルキルスルホネートから選択されるアニオンである。
【請求項３】
前記ヨードニウム塩が次の式Ｉａの化合物である、請求項１記載の方法。
【化２】
2011530572.tif 000002
式中、
Ｒ1、Ｒ2、Ｒ4、Ｒ5及びＱは式Ｉに関して請求項２で定義した通りであり、
Ｌはポリエチレングリコールリンカーであるか、或いはＬは１〜４のＣ5-12アリーレン基及び／又はＣ1-20アルキレン、Ｃ2-20アルコキシアルキレン又はＣ1-20ハロアルキレンを含むと共に、任意にはＣ（＝Ｏ）、ハロゲン、アミド又はスルホンアミドのような１以上の追加置換基を含み、
Ｘは本方法で使用される溶媒に不溶でありかつリンカーＬが共有結合される任意適宜の固相担体である。
【請求項４】
前記フリーラジカル捕捉剤が、４−アミノ安息香酸、２，６−ジ−ｔｅｒｔ−ブチル−４−メチルフェノール（ＢＨＴ）、１，２−ジフェニルエチレン（ＤＰＥ）、ガルビノキシル、ゲンチシン酸、ヒドロキノン、２，２，６，６−テトラメチルピペリジン−Ｎ−オキシド（ＴＥＭＰＯ）、チオフェノール、アスコルビン酸塩、パラアミノ安息香酸（ＰＡＢＡ）、β−カロテン及びＤＬ−α−トコフェロールから選択される、請求項１乃至請求項３のいずれか１項記載の方法。
【請求項５】
前記フリーラジカル捕捉剤が１モル％以上の濃度で前記溶液中に存在している、請求項１乃至請求項４のいずれか１項記載の方法。
【請求項６】
前記有機溶媒が、アセトニトリル（ＡＣＮ）、ジメチルホルムアミド（ＤＭＦ）、ジメチルスルホキシド（ＤＭＳＯ）、ジメチルアセトアミド（ＤＭＡＣ）、テトラヒドロフラン（ＴＨＦ）、ジオキサン、１，２−ジメトキシエタン（ＤＭＥ）、スルホラン及びＮ−メチルピロリジノンから選択される、請求項１乃至請求項５のいずれか１項記載の方法。
【請求項７】
前記貯蔵温度が１〜５℃である、請求項１乃至請求項６のいずれか１項記載の方法。
【請求項８】
前記貯蔵期間が１〜７日である、請求項１乃至請求項７のいずれか１項記載の方法。
【請求項９】
前記貯蔵容器が液密又は気密のジャー、フラスコ、アンプル又はバイアルであり、蓋、栓又は隔膜のような液密又は気密のクロージャーによってシールが施される、請求項１乃至請求項８のいずれか１項記載の方法。
【請求項１０】
前記フッ化物イオン源が、フッ化カリウム、フッ化セシウム及びテトラアルキルアンモニウムフルオリドから選択される、請求項１乃至請求項９のいずれか１項記載の方法。
【請求項１１】
前記フッ素標識化合物が18Ｆ標識化合物である、請求項１乃至請求項１０のいずれか１項記載の方法。
【請求項１２】
さらに以下の段階の１以上を任意の順序で含む、請求項１１記載の方法。
（ｉ）例えばイオン交換クロマトグラフィーによる過剰の18Ｆ-の除去、及び／又は
（ｉｉ）いずれかの保護基の除去、及び／又は
（ｉｉｉ）有機溶媒の除去、及び／又は
（ｉｖ）得られた［18Ｆ］標識化合物の、水溶液としての製剤化、及び／又は
（ｖ）段階（ｉｖ）の製剤の滅菌。
【請求項１３】
前記処理段階が自動化合成装置で実施される、請求項１乃至請求項１２のいずれか１項記載の方法。
【請求項１４】
前記処理段階及び前記以下の段階の１以上が自動化合成装置で実施される、請求項１２記載の方法。
【手続補正書】
【提出日】平成24年7月30日(2012.7.30)
【手続補正１】
【補正対象書類名】特許請求の範囲
【補正対象項目名】全文
【補正方法】変更
【補正の内容】
【特許請求の範囲】
【請求項１】
（ａ）生成物成分固体及び液体第２成分を含み、分子状酸素（Ｏ２）を実質的に含まないスラリーをフィルターカラムに供給し；
（ｂ）分子状酸素を実質的に含まない置換流体をフィルターカラムに供給し；
（ｃ）フィルターカラム内でスラリーの生成物成分固体及び液体第２成分を少なくとも部分的に分離して、
（ｉ）液体第２成分、及び置換流体の少なくとも一部を含む濾液；及び
（ｉｉ）生成物成分固体を含むフィルターケーキ；
を形成する；
ことを含み、
濾液及びスラリーがそれぞれ分子状酸素の濃度を有しており、濾液の分子状酸素濃度がスラリーの分子状酸素濃度以下である、スラリー供給流から固体生成物を精製する方法。
【請求項２】
生成物成分固体がパラキシレン結晶を含み、液体第２成分が、オルトキシレン、メタキシレン、エチルベンゼン、及びこれらの組み合わせからなる群から選択される、請求項１に記載の方法。
【請求項３】
（ａ）液体第２成分、及び液体第２成分のものよりも高い融点を有する液体生成物成分を含む液体供給流を、液体生成物成分の少なくとも一部を結晶化させるのに十分な温度において運転する結晶化器内で結晶化して、生成物成分結晶及び液体第２成分を含むスラリー流出流を形成し；
（ｂ）フィルターカラム内でスラリー流出流の生成物成分結晶及び液体第２成分を少なくとも部分的に分離して、
（ｉ）液体第２成分を含む濾液；及び
（ｉｉ）生成物成分結晶を含むフィルターケーキ；
を形成し；そして
（ｃ）化学反応器内で、濾液の液体第２成分の少なくとも一部を液体生成物成分に転化させる；
ことを含む、生成物の結晶化方法。
【請求項４】
工程（ａ）が、液体生成物成分及び液体第２成分を含む再循環流を液体供給流と混合することを更に含み、そして
液体供給流が再循環流のものよりも低い液体生成物成分の重量濃度を有する、請求項３に記載の方法。
【請求項５】
（ａ）フィルターカラム内において、液体生成物成分中に存在する生成物成分結晶、及び液体第２成分（ここで、液体生成物成分及び液体第２成分はスラリー供給流中に存在し、生成物成分結晶は液体第２成分のものよりも高い融点を有する）を少なくとも部分的に分離して、
（ｉ）液体第２成分を含む濾液；及び
（ｉｉ）生成物成分結晶を含む富化生成物流；
を形成し；
（ｂ）リスラリードラム内において、富化生成物流、並びに液体生成物成分及び液体第２成分を含むリスラリー希釈液を混合し；そして
（ｃ）リスラリードラム内において、生成物成分結晶を、液体生成物及び液体第２成分と、生成物成分結晶及び液体第２成分を含むリスラリー流出流を形成するのに十分な時間平衡化する；
ことを含むリスラリー段階プロセスを含む、結晶化生成物を少なくとも部分的にリスラリーする方法。
【請求項６】
リスラリー段階プロセスが、
（ｄ）濾液の液体第２成分の少なくとも一部を生成物成分に転化させる；
ことを更に含む、請求項５に記載の方法。
【請求項７】
工程（ａ）が、
液体第２成分及び液体生成物成分を含む液体供給流を、液体生成物成分の少なくとも一部を結晶化させるのに十分な温度において運転する結晶化器内において結晶化して、工程（ａ）のスラリー供給流を形成する；
ことを更に含む、請求項５に記載の方法。
【請求項８】
（ａ）フィルターカラム、洗浄カラム、及び遠心分離器からなる群から選択される分離ユニット内において、前段で上流のリスラリー段階からのリスラリー流出流中に存在する生成物成分結晶及び液体第２成分を少なくとも部分的に分離して、
（ｉ）液体第２成分を含む更なる濾液；及び
（ｉｉ）生成物成分結晶及び液体生成物成分の少なくとも１つを含む更なる富化生成物流；
を形成し；
（ｂ）更なるリスラリードラム内において、更なる富化生成物流、並びに液体生成物成分及び液体第２成分を含む更なるリスラリー希釈液を混合し；そして
（ｃ）更なるリスラリードラム内において、生成物成分結晶を、液体生成物成分及び液体第２成分と、生成物成分結晶及び液体第２成分を含む更なるリスラリー流出流を形成するのに十分な時間平衡化する；
ことを含む、リスラリー段階プロセスと連続して且つその後に行う少なくとも１つの更なるリスラリー段階プロセスを更に含む、請求項７に記載の方法。
【請求項９】
最終の更なるリスラリー段階プロセスが、
（ｄ）洗浄カラム及び遠心分離器からなる群から選択される最終分離ユニット内において、生成物成分結晶、及び最終の更なるリスラリー流出流中に存在する液体第２成分を少なくとも部分的に分離して、
（ｉ）液体第２成分を含む最終リスラリー段階濾液；及び
（ｉｉ）生成物成分結晶及び液体生成物成分の少なくとも１つを含む最終リスラリー段階富化生成物流；
を形成し；
（ｅ）最終リスラリー段階富化生成物流中に存在する生成物成分結晶を溶融させて精製液体生成物成分流を形成し；そして
（ｆ）精製液体生成物成分流の一部を最終分離ユニットに洗浄液として再循環する；
ことを更に含む、請求項８に記載の方法。
【請求項１０】
２以上の結晶化段階プロセスを連続して行うことを含み；
（ａ）それぞれの結晶化段階プロセスが、
（ｉ）液体生成物成分の少なくとも一部を結晶化させるのに十分な温度において運転する結晶化器内において、液体第２成分、及び液体第２成分のものよりも高い融点を有する液体生成物成分を含む液体供給流を結晶化させて、生成物成分結晶及び液体第２成分を含むスラリー流出流を形成し；そして
（ｉｉ）フィルターカラム、洗浄カラム、及び遠心分離器からなる群から選択される分離ユニット内において、スラリー流出流の生成物成分結晶及び液体第２成分を少なくとも部分的に分離して、（Ａ）液体生成物成分及び液体第２成分を含む濾液、及び（Ｂ）生成物成分結晶を含む富化生成物流を形成する；
ことを含み；
（ｂ）第１の結晶化段階以外のそれぞれの結晶化段階に関する液体供給流が、前段で上流の結晶化段階からの濾液を含み；そして
（ｃ）少なくとも１つの結晶化段階における分離ユニットがフィルターカラムである；
結晶化生成物の製造方法。
【請求項１１】
（ａ）遠心分離器内において、液体及び分散固体を含むスラリー供給流を少なくとも部分的に分離して、少なくとも
（ｉ）高固形分濾液の全重量を基準として約５重量％〜約５０重量％の分散固体を含む、液体及び分散固体を含む高固形分濾液；及び
（ｉｉ）遠心分離ケーキの全重量を基準として５０重量％より多い分散固体を含む、液体及び分散固体を含む遠心分離ケーキ；
を形成し；そして
（ｂ）フィルターカラム内において、高固形分濾液中の分散固体及び液体を少なくとも部分的に分離して、
（ｉ）液体を含むフィルターカラム濾液；及び
（ｉｉ）分散固体を含み、フィルターカラム濾液のものよりも大きい分散固体の重量濃度を有するフィルターカラムケーキ；
を形成する；
ことを含む、遠心分離器濾液から固体生成物を回収する方法。
【手続補正書】
【提出日】平成24年1月19日(2012.1.19)
【手続補正１】
【補正対象書類名】明細書
【補正対象項目名】０００１
【補正方法】変更
【補正の内容】
【０００１】
ＤＮＡデンドリマーとそれに付着したｓｉＲＮＡ分子とを含む組成物ならびにそれを調製、保護、および送達する方法を提供する。
配列表の相互参照
２０１１年４月２６日に作製された「ＤＳＣ００４１−００ＵＳ  Ｓｅｑｕｅｎｃｅ  Ｌｉｓｔｉｎｇ＿ＳＴ２５．ｔｘｔ」（４４，５４４バイト）として特定される配列表は、参照として本明細書に組み込まれる。
【手続補正２】
【補正対象書類名】明細書
【補正対象項目名】００４０
【補正方法】変更
【補正の内容】
【００４０】
本発明の別の実施形態では、ＤＮＡ鎖は、デンドリマーの各層において共有結合している。本発明の別の実施形態では、ＤＮＡデンドリマーは、ＤＮＡデンドリマーのアーム内にある少なくとも１つのＣａｐ０３配列を含む。別の実施形態では、Ｃａｐ０３配列は、以下の核酸配列を含む：５’−ＴＣＣＡＣＣＴＴＡｇＡｇＴＡＣＡＡＡＣｇｇＡＡＣＡＣｇＡｇＡＡ−３’（配列番号８）。本発明の別の実施形態では、Ｃａｐ０３配列は、Ｃａｐ０３アンチセンス配列を含む抗体またはその断片などの分子をＤＮＡデンドリマーに結合／付着させるために使用される。別の実施形態では、Ｃａｐ０３アンチセンス配列は、以下の核酸配列を含む：５’−ＴＴＣＴＣｇＴｇＴＴＣＣｇＴＴＴｇＴＡＣＴＣＴＡＡｇｇＴｇｇＡ−３’（配列番号９）。本発明の別の実施形態では、本明細書に記載の組成物を調製する方法は、Ｃａｐ０３配列に相補的な配列を含むＤＮＡ分子に共有結合的にコンジュゲートしたタンパク質をＤＮＡデンドリマーに非共有結合させる工程を含む。
【手続補正３】
【補正対象書類名】明細書
【補正対象項目名】０１４０
【補正方法】変更
【補正の内容】
【０１４０】
センス鎖：
ＲＮＡセンス鎖：５’−ＧＧＣＵＧＡＣＡＡＣＡＧＡＣＵＵＵＡＡ−３’（配列番号２）
ＤＮＡセンス鎖：５’−ＴＴＣＣＧＴＴＧＡＣＡＴＣＴＣＧＴＡＧＡＴＴＴ−３’（配列番号６）
【手続補正書】
【提出日】平成24年8月3日(2012.8.3)
【手続補正１】
【補正対象書類名】特許請求の範囲
【補正対象項目名】全文
【補正方法】変更
【補正の内容】
【特許請求の範囲】
【請求項１】
以下の構造式
【化１】
2011530534.tif 000001
により表わされる化合物、または薬学的に許容できるその塩。
【請求項２】
以下の構造式
【化２】
2011530534.tif 000002
により表される化合物またはその薬学的に許容できる塩と、薬学的に許容できる担体または希釈剤とを含む医薬組成物。
【請求項３】
細菌により引き起こされる感染の治療用または予防用の、構造式：
【化３】
2011530534.tif 000003
により表される化合物または薬学的に許容できるその塩を含む医薬組成物。
【請求項４】
細菌により引き起こされる感染の治療用または予防用の医薬の製造における、構造式：
【化４】
2011530534.tif 000004
により表される化合物または薬学的に許容できるその塩の使用。
【請求項５】
前記感染は、ブドウ球菌属（Ｓｔａｐｈｙｌｏｃｏｃｃｕｓ  ｓｐｐ．）、レンサ球菌属（Ｓｔｒｅｐｔｏｃｏｃｃｕｓ  ｓｐｐ．）、プロピオン酸菌属（Ｐｒｏｐｉｏｎｉｂａｃｔｅｒｉｕｍ  ｓｐｐ．）、腸球菌属（Ｅｎｔｅｒｏｃｏｃｃｕｓ  ｓｐｐ．）、バチルス属（Ｂａｃｉｌｌｕｓ  ｓｐｐ．）、コリネバクテリウム属（Ｃｏｒｙｎｅｂａｃｔｅｒｉｕｍ  ｓｐｐ．）、ノカルジア属（Ｎｏｃａｒｄｉａ  ｓｐｐ，）、クロストリジウム属（Ｃｌｏｓｔｒｉｄｉｕｍ  ｓｐｐ．）、アクチノバクテリア属（Ａｃｔｉｎｏｂａｃｔｅｒｉａ  ｓｐｐ．）およびリステリア属（Ｌｉｓｔｅｒｉａ  ｓｐｐ．）から選択されるグラム陽性菌により引き起こされる、請求項４に記載の使用。
【請求項６】
前記感染は、腸内細菌科（Ｅｎｔｅｒｏｂａｃｔｅｒｉｃｅａｅ）、バクテロイデス科（Ｂａｃｔｅｒｏｉｄａｃｅａｅ）、ビブリオ科（Ｖｉｂｒｉｏｎａｃｅａｅ）、パスツレラ属（Ｐａｓｔｅｕｒｅｌｌａｅ）、シュードモナス科（Ｐｓｅｕｄｏｍｏｎａｄａｃｅａｅ）、ナイセリア科（Ｎｅｉｓｓｅｒｉａｃｅａｅ）、リケッチア属（Ｒｉｃｋｅｔｔｓｉａｅ）、モラクセラ科（Ｍｏｒａｘｅｌｌａｃｅａｅ）、プロテウス属（Ｐｒｏｔｅｅａｅ）のいずれかの種、アシネトバクター属（Ａｃｉｎｅｔｏｂａｃｔｅｒ  ｓｐｐ．）、ヘリコバクター属（Ｈｅｌｉｃｏｂａｃｔｅｒ  ｓｐｐ．）およびカンピロバクター属（Ｃａｍｐｙｌｏｂａｃｔｅｒ  ｓｐｐ．）から選択されるグラム陰性菌により引き起こされる、請求項４に記載の使用。
【請求項７】
腸内細菌科の細菌が、大腸菌（Ｅ．ｃｏｌｉ）または肺炎桿菌（Ｋｌｅｂｓｉｅｌｌａ  ｐｎｅｕｍｏｎｉａ）である、請求項６に記載の使用。
【請求項８】
前記感染は、肺炎桿菌（Ｋ．ｐｎｅｕｍｏｎｉａｅ）、サルモネラ菌（Ｓａｌｍｏｎｅｌｌａ）、腸内連鎖球菌（Ｅ．ｈｉｒａｅ）、アシネトバクター・バウマニ菌（Ａ．ｂａｕｍａｎｉｉ）、モラクセラ・カタラーリス菌（Ｍ．ｃａｔａｒｒｈａｌｉｓ）、インフルエンザ菌（Ｈ．ｉｎｆｌｕｅｎｚａｅ）、緑膿菌（Ｐ．ａｅｒｕｇｉｎｏｓａ）、エンテロコッカス・フェシウム菌（Ｅ．ｆａｅｃｉｕｍ）、大腸菌（Ｅ．ｃｏｌｉ）、黄色ブドウ球菌（Ｓ．ａｕｒｅｕｓ）またはエンテロコッカス・ファエカリス腸球菌（Ｅ．ｆａｅｃａｌｉｓ）により引き起こされる、請求項４に記載の使用。
【請求項９】
前記感染は、リケッチア属（ｒｉｃｋｅｔｔｓｉａｅ）、クラミジア属（ｃｈｌａｍｙｄｉａｅ）、レジオネラ属（Ｌｅｇｉｏｎｅｌｌａ  ｓｐｐ．）、またはマイコプラズマ属（Ｍｙｃｏｐｌａｓｍａ  ｓｐｐ．）により引き起こされる、請求項４に記載の使用。
【請求項１０】
前記感染は、皮膚感染、気道感染または院内感染である、請求項４に記載の使用。
【請求項１１】
前記感染は、腹腔内感染である、請求項４に記載の使用。
【請求項１２】
前記化合物または薬学的に許容できるその塩は単独で投与される、請求項４に記載の使用。
【請求項１３】
前記化合物または薬学的に許容できるその塩は、１つ以上のさらなる治療薬と組み合わせて投与される、請求項４に記載の使用。
【手続補正書】
【提出日】平成24年4月12日(2012.4.12)
【手続補正１】
【補正対象書類名】特許請求の範囲
【補正対象項目名】全文
【補正方法】変更
【補正の内容】
【特許請求の範囲】
【請求項１】
テトラヒドロビオプテリン又はその代謝前駆体を含有する医薬剤形であって、テトラヒドロビオプテリン又はその代謝前駆体と酸化防止剤との水溶液を調合容器中に含み、且つ調合した水溶液を投与するための投与手段を含むことを特徴とする医薬剤形。
【請求項２】
酸化防止剤がスルフヒドリル化合物であることを特徴とする請求項１に記載の医薬剤形。
【請求項３】
スルフヒドリル化合物がシステイン化合物であり、特にシステイン及びそれから誘導される化合物（特にＮ−アセチルシステイン、ホモシステイン、Ｎ−アセチルホモシステイン、システインメチルエステル、システインエチルエステル、ホモシステインメチルエステル、及びホモシステインエチルエステルからなる群から選ばれる化合物）からなる群から選ばれ、または２種又は数種の異なるスルフヒドリル化合物の混合物であり、任意に塩（特に塩酸塩）の形であることを特徴とする請求項２に記載の医薬剤形。
【請求項４】
テトラヒドロビオプテリン又はその代謝前駆体の濃度が０．５重量％〜５０重量％、特に２重量％〜２０重量％、特に５重量％〜１５重量％であることを特徴とする請求項１〜３のいずれか一項に記載の医薬剤形。
【請求項５】
テトラヒドロビオプテリン又はその代謝前駆体と酸化防止剤とのモル比が１．５：１〜１：４、特に１：１〜１：１．５を含むことを特徴とする請求項１〜４のいずれか一項に記載の医薬剤形。
【請求項６】
水溶液のｐＨが５以下、特に２以下であることを特徴とする請求項１〜５のいずれか一項に記載の医薬剤形。
【請求項７】
投与手段によって１００μｌ〜２０００μｌの範囲で水溶液のアリコートが分注（dispensation）されることを特徴とする請求項１〜６のいずれか一項に記載の医薬剤形。
【請求項８】
投与手段が調合容器に堅固に接続されていることを特徴とする請求項１〜７のいずれか一項に記載の医薬剤形。
【請求項９】
調合容器中の水溶液と投与手段とが互いに分離した状態で１つのパッケージ中にまとめられたキットを含むことを特徴とする請求項１〜８のいずれか一項に記載の医薬剤形。
【請求項１０】
テトラヒドロビオプテリン又はその代謝前駆体の水溶液を少なくとも１ヶ月（特に２、３、４、５、６、９、又は１２ヶ月）の保存期間にわたって安定化するための、酸化防止剤（特にスルフヒドリル化合物、特にシステイン）の使用であって、特に前記テトラヒドロビオプテリン又はその代謝前駆体と前記酸化防止剤とのモル比が約１．５：１〜１：４、特に１：１〜１：１．５を含むことを特徴とする使用。
【請求項１１】
テトラヒドロビオプテリン又はその代謝前駆体が、４０±２℃で相対湿度７５±５％の条件下及び／又は２５±２℃で相対湿度６０±５％の条件下で安定であり、特にテトラヒドロビオプテリン又はその代謝前駆体の初期濃度の９５％（特に９６％、９７％、９７．５％、９８％、又は９９％）が少なくとも１ヶ月（特に２、３、４、５、６、９、又は１２ヶ月）保存しても維持されることを特徴とする請求項１０に記載の使用。
【請求項１２】
請求項１〜９のいずれか一項に記載の医薬剤形であって、テトラヒドロビオプテリン又はその代謝前駆体を小児又は幼児に（特にミルク又はベビーフードと組み合わせて）投与することによって、テトラヒドロビオプテリン欠損による変異型フェニルケトン尿症（特に高フェニルアラニン血症）を治療するための医薬剤形。
【手続補正書】
【提出日】平成24年8月1日(2012.8.1)
【手続補正１】
【補正対象書類名】特許請求の範囲
【補正対象項目名】全文
【補正方法】変更
【補正の内容】
【特許請求の範囲】
【請求項１】
A1アデノシン受容体アゴニストを含む、騒音曝露後の騒音性難聴の治療剤。
【請求項２】
A1アデノシン受容体アゴニストを含む、騒音曝露後の蝸牛の組織傷害の治療剤。
【請求項３】
A1アデノシン受容体アゴニストが選択的A1アデノシン受容体アゴニストである、請求項１または請求項２に記載の剤。
【請求項４】
選択的A1アデノシン受容体アゴニストが、N6-シクロペンチルアデノシン（CPA）、2-クロロ-N6-シクロペンチルアデノシン（CCPA）、S-N6-(2-endo-ノルボルニル)アデノシン[S(-)-ENBA]、アデノシンアミン同種物（ADAC）、（[1S-[1a,2b,3b,4a(S*)]]-4-[7-[[2-(3-クロロ-2-チエニル)-1-メチルプロピル]アミノ]-3H-イミダゾ[4,5-b]ピリジル-3-イル]シクロペンタンカルボキサミド)（AMP 579）、N-[R-(2-ベンゾチアゾリル)チオ-2-プロピル]-2-クロロアデノシン（NNC-21-0136）、N-[(1S, trans)-2-ヒドロキシシクロペンチル]アデノシン（GR79236）、N-(3(R)-テトラヒドロフラニル)-6-アミノプリンリボシド（CVT-510、テカデノソン（Tecadeonson））、N6-シクロヘキシル-2-O-メチルアデノシン（SDZ WAG 994）、およびN6-シクロペンチル-N5’-エチルアデノシン-5’-ウロンアミド（セロデノソン）を含む群から選択される、請求項３に記載の剤。
【請求項５】
選択的A1アデノシン受容体アゴニストがADACである、請求項４に記載の剤。
【請求項６】
選択的A1アデノシン受容体アゴニストがCCPAである、請求項４に記載の剤。
【請求項７】
A1アデノシン受容体アゴニストが非選択的A1アデノシン受容体アゴニストである、請求項１または請求項２に記載の剤。
【請求項８】
非選択的A1アデノシン受容体アゴニストがアデノシンである、請求項７に記載の剤。
【請求項９】
全身的に投与されるものである、請求項１〜８のいずれか１項に記載の剤。
【請求項１０】
蝸牛の正円窓膜上に局所的に投与されるものである、請求項１〜８のいずれか１項に記載の剤。
【請求項１１】
急性の騒音またはインパルス騒音に曝露された患者に投与されるものである、請求項１〜１０のいずれか１項に記載の剤。
【請求項１２】
長期間の過度の騒音に曝露された患者に投与されるものである、請求項１〜１０のいずれか１項に記載の剤。
【請求項１３】
過度の騒音への曝露から約24時間以内に投与されるものである、請求項１〜１２のいずれか１項に記載の剤。
【請求項１４】
過度の騒音への曝露から約6時間以内に投与されるものである、請求項１〜１２のいずれか１項に記載の剤。
【請求項１５】
過度の騒音への曝露の後、該剤を1回よりも多く投与することを含む投与計画に従って投与されるものである、請求項１〜１２のいずれか１項に記載の剤。
【請求項１６】
最初の投与が過度の騒音への曝露から約24時間以内に投与される投与計画に従って投与されるものである、請求項１５に記載の剤。
【請求項１７】
最初の投与が過度の騒音への曝露から約6時間以内に投与される投与計画に従って投与されるものである、請求項１５に記載の剤。
【請求項１８】
最初の投与が過度の騒音への曝露から約6時間以内に投与され、かつ残りの投与が最初の投与時から24時間間隔で単回投与として投与される投与計画に従って投与されるものである、請求項１７に記載の剤。
【請求項１９】
該剤を少なくとも5回投与することを含む投与計画に従って投与されるものである、請求項１５〜１８のいずれか１項に記載の剤。
【請求項２０】
過度の騒音への曝露が、24時間の110 dBの音圧レベルという騒音レベルの騒音を超えないものである、請求項１〜１９のいずれか１項に記載の剤。
【請求項２１】
ADACの互変異性型、立体異性体、多形体、薬学的に許容される塩、および／もしくは薬学的に許容される溶媒和物、ならびに／または化学的変異体を含むADACを含む、哺乳動物の騒音曝露後の騒音性難聴の治療剤。
【請求項２２】
ADACの互変異性型、立体異性体、多形体、薬学的に許容される塩、および／もしくは薬学的に許容される溶媒和物、ならびに／または化学的変異体を含むADACを含む、騒音曝露後の哺乳動物における蝸牛の組織傷害の治療剤。
【手続補正書】
【提出日】平成24年8月3日(2012.8.3)
【手続補正１】
【補正対象書類名】特許請求の範囲
【補正対象項目名】全文
【補正方法】変更
【補正の内容】
【特許請求の範囲】
【請求項１】
クローズド細胞増殖システムの細胞増殖室からいつ細胞を採取するかを決定する方法であって、
前記細胞増殖室内に最初に装填された細胞の数を測定するステップと、
サンプリング・ポートを介して、前記クローズド細胞増殖システムの無菌性を維持しながら、前記クローズド細胞増殖システムの流体循環経路から流体を除去するステップと、
流体内の乳酸塩の濃度を測定するステップと、
測定された前記最初に装填された細胞の数および、測定された前記乳酸塩の濃度に基づいて、前記クローズド細胞増殖システムの前記細胞増殖室から前記細胞をいつ採取するかを決定するステップであって、ｌｎｍＬ＝ｃ＋ｌｎＮ０を含むアルゴリズムを実行することを含み、ｍＬは乳酸塩質量を示し、Ｎ０は最初に装填された細胞の数を示し、ｃは定数を示す、前記決定するステップと、
を含む前記方法。
【請求項２】
請求項１記載の方法であって、前記流体内の前記乳酸塩の濃度を測定することは、さらに、前記クローズド細胞増殖システムの廃棄ラインの乳酸塩を測定することを含む前記方法。
【請求項３】
クローズド細胞増殖システムと動作可能に結合されたコンピュータであって、
前記クローズド細胞増殖システム内に最初に装填された細胞の数、および、細胞増殖サイクルの間の第１の時間および第２の時間において測定された乳酸塩の濃度を受信するように構成されたユーザ・インターフェイスと、
細胞増殖室から前記細胞をいつ採取すべきか決定するアルゴリズムを格納したメモリであって、前記アルゴリズムは、ｌｎｍＬ＝ｃ＋ｌｎＮ０を含み、ｍＬは乳酸塩質量を示し、Ｎ０は最初に装填された細胞の数を示し、ｃは定数を示す、前記メモリと、
前記ユーザ・インターフェイスおよび前記メモリと通信して、
前記クローズド細胞増殖システム内に最初に装填された細胞の数を受信し、
前記乳酸塩の濃度を受信し、
前記最初に装填された細胞の数および前記第１の時間および前記第２の時間における前記乳酸塩の濃度を用いて少なくとも２回、前記アルゴリズムを実行し、前記細胞増殖室から前記細胞をいつ採取するかを決定するように構成された、
プロセッサと、
を含む前記コンピュータ。
【請求項４】
細胞を含む細胞増殖室と、
ポンプと、
細胞増殖システムと動作可能に結合されたコンピュータと、
を含むクローズド細胞増殖システムであって、前記コンピュータは、
前記細胞増殖室内に装填された細胞の開始細胞数、および、細胞増殖サイクルの間の第１の時間および第２の時間において測定された乳酸塩の濃度であって、前記クローズド増殖システムの無菌性を維持しながら、測定された前記乳酸塩の濃度を受信するように構成されたユーザ・インターフェイスと、
細胞増殖室から前記細胞をいつ採取すべきか決定するアルゴリズムを格納したメモリであって、前記アルゴリズムは、ｌｎｍＬ＝ｃ＋ｌｎＮ０を含み、ｍＬは乳酸塩質量を示し、Ｎ０は前記細胞増殖室に装填された細胞の開始細胞数を示し、ｃは定数を示す、前記メモリと、
前記ユーザ・インターフェイスおよび前記メモリと通信して、
前記細胞増殖室に装填された細胞の開始細胞数を受信し、
前記乳酸塩の濃度を受信し、
前記細胞増殖室に装填された細胞の開始細胞数および前記第１の時間および前記第２の時間における前記乳酸塩の濃度を用いて少なくとも２回、前記アルゴリズムを実行し、前記細胞増殖室から前記細胞をいつ採取するかを決定するように構成された、
プロセッサと、
前記プロセッサと通信し、前記プロセッサから信号を受信し、前記ポンプが前記細胞増殖室を介して媒体を汲み上げて、前記細胞増殖室から前記細胞を除去するように構成された、コントローラ・インターフェイスと、
を含む細胞増殖システム。
【請求項５】
請求項４記載のシステムであって、前記プロセッサは、さらに、
前記アルゴリズムの第１の実行の第１の結果をグラフに表示し、
前記アルゴリズムの第２の実行の第２の結果をグラフに表示し、
前記アルゴリズムの第３の実行の第３の結果をグラフに表示し、
前記グラフの前記第１、第２および第２の結果の表示を含む曲線から前記細胞をいつ採取するかを予測するように構成された前記システム。
【請求項６】
請求項４記載のシステムであって、サンプリング・ポートおよびサンプル・コイルのうちの１つ以上を介して、前記クローズド細胞増殖システムの流体循環経路から流体を除去することにより、前記クローズド細胞増殖システムの無菌性を維持しながら、前記乳酸塩の濃度を測定する前記システム。
【請求項７】
請求項４記載のシステムであって、前記乳酸塩の濃度は血液ガス分析装置を用いて測定される前記システム。
【請求項８】
請求項４記載のシステムであって、前記乳酸塩の濃度はバイオセンサを用いて測定される前記システム。
【請求項９】
請求項８記載のシステムであって、前記バイオセンサは、無菌バリア・フィルタを介して流体ラインに接続される前記システム。
【請求項１０】
請求項４記載のシステムであって、前記コントローラ・インターフェイスは、信号を受信し、前記除去された細胞を細胞採取バッグへ汲み上げる前記システム。
【請求項１１】
請求項１記載の方法であって、さらに、
前記アルゴリズムの第１の実行の第１の結果をグラフに表示することと、
前記アルゴリズムの第２の実行の第２の結果をグラフに表示することと、
前記アルゴリズムの第３の実行の第３の結果をグラフに表示することと、
前記グラフの前記第１、第２および第２の結果の表示を含む曲線から前記細胞をいつ採取するかを予測することと、を含む前記方法。
【請求項１２】
請求項１記載の方法であって、前記乳酸塩の濃度は血液ガス分析装置を用いて測定される前記方法。
【請求項１３】
請求項１記載の方法であって、前記乳酸塩の濃度はバイオセンサを用いて測定される前記方法。
【請求項１４】
請求項３記載のコンピュータであって、サンプリング・ポートおよびサンプル・コイルのうちの１つ以上を介して、流体循環経路から流体を除去することにより、前記クローズド細胞増殖システムの無菌性を維持しながら、前記乳酸塩の濃度を測定する前記コンピュータ。
【請求項１５】
請求項３記載のコンピュータであって、前記定数ｃはｃ＝ｌｎｇＬ＋ｄ’ｌｎ２を含み、ｇＬは乳酸塩生成率を示し、ｄ’は所望の数の細胞を採取するのに必要な細胞の倍増数を示す前記コンピュータ。
【請求項１６】
請求項１記載の方法であって、前記定数ｃはｃ＝ｌｎｇＬ＋ｄ’ｌｎ２を含み、ｇＬは乳酸塩生成率を示し、ｄ’は所望の数の細胞を採取するのに必要な細胞の倍増数を示す前記方法。
【請求項１７】
請求項４記載のシステムであって、前記定数ｃはｃ＝ｌｎｇＬ＋ｄ’ｌｎ２を含み、ｇＬは乳酸塩生成率を示し、ｄ’は所望の数の細胞を採取するのに必要な細胞の倍増数を示す前記システム。
【手続補正書】
【提出日】平成24年8月14日(2012.8.14)
【手続補正１】
【補正対象書類名】特許請求の範囲
【補正対象項目名】全文
【補正方法】変更
【補正の内容】
【特許請求の範囲】
【請求項１】
図２１または図２２に示す少なくとも１つのアミノ酸配列を含む、ポリペプチドまたはタンパク質。
【請求項２】
請求項１に記載のポリペプチドまたはタンパク質をコードする核酸。
【請求項３】
図２２に示す少なくとも１つのヌクレオチド配列を含む核酸。
【請求項４】
請求項２または３に記載の核酸を含むベクター。
【請求項５】
ベクターがウイルスベクターである、請求項４に記載のベクター。
【請求項６】
請求項１に記載の少なくとも１つのポリペプチドまたはタンパク質およびキャリヤーを含む組成物。
【請求項７】
請求項２または３に記載の少なくとも１つの核酸およびキャリヤーを含む組成物。
【請求項８】
哺乳動物において免疫応答を誘導する方法であって、哺乳動物にその誘導を生じるのに十分な量の請求項１に記載の少なくとも１つのポリペプチドまたはタンパク質を投与することを含む方法。
【請求項９】
哺乳動物において免疫応答を誘導する方法であって、その誘導を生じるのに十分な量の請求項２または３に記載の少なくとも１つの核酸をその哺乳動物に投与することを含む方法。
【手続補正書】
【提出日】平成24年7月27日(2012.7.27)
【手続補正１】
【補正対象書類名】明細書
【補正対象項目名】００６３
【補正方法】変更
【補正の内容】
【００６３】
（酸化物タイプの無定形または低結晶性の細孔質無機マトリクスの特徴）
細孔質の通常は無定形の無機マトリクスは、一般的に、少なくとも１種の耐火性酸化物からなる。前記マトリクスは、通常、アルミナ、シリカ、クレー、酸化チタン、酸化ホウ素、及びジルコニアによって形成される群から選択される。マトリクスは、前記に挙げられた酸化物の少なくとも２種の混合物からなっていてもよく、例えば、シリカ−アルミナである。アルミン酸塩を選択することも可能である。好ましくは、当業者に知られたすべての形態のアルミナを含有するマトリクスの使用がなされ、例えば、ガンマアルミナである。
【手続補正２】
【補正対象書類名】明細書
【補正対象項目名】０１３２
【補正方法】変更
【補正の内容】
【０１３２】
二工程水素化分解は、第１工程を含み、その目的は、「一工程」方法におけるように、原料を水素化精製することであるが、その転化度、一般的には約４０〜６０％を達成することでもある。第１工程から得られた流出物は、続いて、大抵中間分離と呼ばれる分離（蒸留）を経、その目的は、転化生成物を未転化フラクションから分離することである。二工程水素化分解方法の第２の工程において、第１工程の間に転化されていない原料の部分のみが処理される。この分離は、二工程水素化分解方法が中間留出液（灯油＋ディーゼル）に関して一工程方法より選択的であることを可能にする。実際に、転化生成物の中間分離は、水素化分解触媒上での第２工程中のナフサおよび気体によるその「過分解（overcracking）」を妨げる。さらに、第２工程において処理される原料の未転化部分は、一般的に、非常に低い含有量のＮＨ３、窒素含有有機化合物を、一般的には、２０重量ｐｐｍ未満、さらには１０重量ｐｐｍ未満で含むことが留意されるべきである。
【手続補正３】
【補正対象書類名】明細書
【補正対象項目名】０１４４
【補正方法】変更
【補正の内容】
【０１４４】
（実施例３：ＩＺＭ−２ゼオライトを含有する本発明による触媒の調製）
実施例２において調製された基材押出物に、七モリブデン酸アンモニウムおよび硝酸ニッケルの混合物の溶液によって乾式含浸させ、最後に、空気下に５５０℃、現場（in situ）で反応器において焼成した。得られたＮｉＭｏ−Ａｌ−ＩＺＭ−２触媒の重量による酸化物含有量を、表１に提示する。
【手続補正書】
【提出日】平成24年7月18日(2012.7.18)
【手続補正１】
【補正対象書類名】明細書
【補正対象項目名】００２７
【補正方法】変更
【補正の内容】
【００２７】
本発明の触媒中に存在するＩＺＭ−２ゼオライトの調製方法は、少なくとも１種の酸化物ＸＯ２の少なくとも１種の源と、少なくとも１種の酸化物Ｙ２Ｏ３の少なくとも１種の源と、少なくとも１種の有機種Ｒと、少なくとも１種のアルカリ金属および／またはアルカリ土類金属の少なくとも１種の源とを含む、ゲルとして知られる水性反応混合物を調製することからなる。前記試薬の量は、前記ゲルに、それが、以下の一般式（Ｉ）を有する合成されたままの形態のＩＺＭ−２ゼオライトに結晶化することを可能にする組成を提供するように調整される：ＸＯ２：ａＹ２Ｏ３：ｂＭｎＯ；ｃＲ；ｄＨ２Ｏ、式中、ａ、ｂ、およびｎは、上に定義した基準を満たし、ｃは、Ｒのモル数を表し、かつ０．００５〜２の範囲、好ましくは０．０１〜０．５の範囲であり、ｄは、Ｈ２Ｏのモル数を表し、かつ０．００５〜２の範囲、好ましくは０．０１〜１の範囲である。次いで、ゲルは、ＩＺＭ−２ゼオライトが形成されるまで、水熱処理を施される。ゲルは、有利には、固体ＩＺＭ−２ゼオライト結晶が合成されたままの形態で形成されるまで、自己生成反応圧力下、場合により、ガス、例えば窒素を加えることにより、１２０〜２００℃の範囲、好ましくは１４０〜１８０℃の範囲、より好ましくは１６０〜１７５℃の範囲の温度で水熱条件下に付される。結晶化を得るのに必要な時間は、一般に、ゲル中の試薬の組成、撹拌、および反応温度に応じて、１時間から数ヶ月である。好ましくは、結晶化の期間は、２時間〜２１日間の範囲である。反応は一般に撹拌しながらまたは撹拌することなく行われるが、好ましくは撹拌しながら行われる。
【手続補正２】
【補正対象書類名】明細書
【補正対象項目名】００６８
【補正方法】変更
【補正の内容】
【００６８】
本発明は、また、オレフィン供給原料のオリゴマー化のための方法であって、前記供給原料を本発明による少なくとも１種の触媒（少なくとも１種のＩＺＭ−２ゼオライトを含み、好ましくは水素型（プロトン型、Ｈ＋である））と接触させることからなる方法に関する。前記方法は、燃料、例えば、ガソリンおよび／または灯油および／またはディーゼルおよび／またはより一般的には１５０℃超の温度で始まる沸点を有する留分を製造することができる。
【手続補正３】
【補正対象書類名】明細書
【補正対象項目名】００７３
【補正方法】変更
【補正の内容】
【００７３】
本発明はまた、少なくとも１種の線状オレフィンによる少なくとも１種の芳香族化合物のアルキル化反応を含むフェニルアルカンの生成方法であって、少なくとも１種のＩＺＭ−２ゼオライト、好ましくは酸型（プロトン型、Ｈ＋）であるものを含む本発明による少なくとも１種の触媒の存在下に実施される方法に関する。有利には、前記触媒は、固定床中の、前記アルキル化反応を行う少なくとも１つの反応帯域に配置される。
【手続補正４】
【補正対象書類名】明細書
【補正対象項目名】００７５
【補正方法】変更
【補正の内容】
【００７５】
フェニルアルカンの前記生成方法の第２の実施形態によると、芳香族化合物は、好ましくは、ベンゼンであり、用いられる線状オレフィンは、１分子あたり９〜１６個の炭素原子、好ましくは１０〜１４個の炭素原子を含み、これにより、線状フェニルアルカンまたは線状アルキルベンゼン（linear alkylbenzens：ＬＡＢ）が生成させられる。フェニルアルカンの前記生成方法は、好ましくは固定床態様で機能する、本発明の前記触媒を含む少なくとも１つの反応帯域内で、ベンゼンを、少なくとも１種の線状オレフィンを含む供給原料と接触させることによって実施される。本発明のフェニルアルカンの前記生成方法を実施するために適用される操作条件は、当業者によって選択される。反応帯域は、有利には４００℃以下、好ましくは３５０℃未満、より好ましくは３００℃未満の温度、１〜１０ＭＰａ、好ましくは２〜６ＭＰａの圧力、液体炭化水素の流量（空間速度）は毎時の触媒の体積あたり０．５〜８０体積、好ましくは０．５〜５０体積で操作される。ベンゼン／オレフィンのモル比は、有利には１〜５０、好ましくは１０〜３０の範囲である。
【手続補正５】
【補正対象書類名】明細書
【補正対象項目名】００７７
【補正方法】変更
【補正の内容】
【００７７】
本発明の前記不均化方法を実施するために適用される操作条件は一般に以下の通りである：温度は、２５０〜６５０℃の範囲、好ましくは３５０〜５５０℃の範囲であり；圧力は、１〜６ＭＰａの範囲、好ましくは２〜４．５ＭＰａの範囲であり；毎時空間速度（毎時の触媒の重量（キログラム）あたりの導入される供給原料の重量（キログラム）で表される）は、０．１〜１０ｈ−１の範囲、好ましくは０．５〜４ｈ−１の範囲であり；水素対炭化水素のモル比は、２〜２０モル／モルの範囲、好ましくは３〜１２モル／モルの範囲である。
【手続補正書】
【提出日】平成24年8月9日(2012.8.9)
【手続補正１】
【補正対象書類名】特許請求の範囲
【補正対象項目名】全文
【補正方法】変更
【補正の内容】
【特許請求の範囲】
【請求項１】
対象の組織サンプルにおける長寿に関する要因を検出する方法であって、
前記対象が遺伝子座／多型ｒｓ２８０２２９２の「Ｇ」対立遺伝子の少なくとも１つを位置１０９０１５２１１でＦＯＸＯ３Ａ遺伝子の染色体６に有するかどうかを、前記対象の組織サンプルで決定する工程；
前記対象が遺伝子座／多型ｒｓ２７６４２６４の「Ｃ」対立遺伝子の少なくとも１つを位置１０９０４１１５４でＦＯＸＯ３Ａ遺伝子の染色体６に有するかどうかを、前記対象の組織サンプルで決定する工程；および
前記対象が遺伝子座／多型ｒｓ１３２１７７９５の「Ｇ」対立遺伝子の少なくとも１つを位置１０９０８０７９１でＦＯＸＯ３Ａ遺伝子の染色体６に有するかどうかを、前記対象の組織サンプルで決定する工程；
からなる群より選択される、いずれかの工程を備えた、方法。
【請求項２】
長寿とは、少なくともさらに１５年間生存し、前記要因はさらに加齢と関連のある少なくとも１つの慢性疾患から独立している要因を含有する、請求項１に記載の方法。
【請求項３】
加齢と関連のある少なくとも１つの慢性疾患は、糖尿病、冠状動脈疾患および癌からなる群から選択され、請求項２に記載の方法。
【請求項４】
対象の組織サンプルにおける長寿に関する要因を検出する方法であって、前記対象が「ＧＣＣ」ハプロタイプを有するかどうかを前記対象の前記組織サンプルで決定する工程を含み、「ＧＣＣ」ハプロタイプはＦＯＸＯ３Ａ遺伝子においてそれぞれ遺伝子座／多型ｒｓ２８０２２９２、ｒｓ２７６４２６４およびｒｓ１３２１７７９５である方法。
【請求項５】
前記組織サンプルがヒト以外の対象由来であり、前記対象がヒト以外の相同物「ＧＣＣ」ハプロタイプを有するかどうかを、前記対象の組織サンプルで決定する工程を含み、「ＧＣＣ」ハプロタイプはＦＯＸＯ３Ａ遺伝子においてそれぞれ遺伝子座／多型ｒｓ２８０２２９２、ｒｓ２７６４２６４およびｒｓ１３２１７７９５である、請求項４に記載の方法。
【請求項６】
ＦＯＸＯ３Ａ遺伝子の染色体６に位置１０９０１５２１１で遺伝子座／多型ｒｓ２８０２２９２の「Ｇ」対立遺伝子；ＦＯＸＯ３Ａ遺伝子の染色体６に位置１０９０１５２１１で遺伝子座／多型ｒｓ２８０２２９２の「Ｇ」対立遺伝子；およびＦＯＸＯ３Ａ遺伝子の染色体６に位置１０９０４１１５４で遺伝子座／多型ｒｓ２７６４２６４の「Ｃ」対立遺伝子からなる群から選択される第一の標的核酸配列の位置にハイブリッドを形成する十分な長さの第一の核酸であって、前記第一の標的核酸配列の前記位置、または前記第一の標的核酸配列相補体とハイブリッドを形成する前記第一の核酸を、１つ以上の容器内に含有するものおよび使用説明書を含むキット。
【請求項７】
ＦＯＸＯ３Ａ遺伝子の染色体６に位置１０９０１５２１１で遺伝子座／多型ｒｓ２８０２２９２の「Ｇ」対立遺伝子；ＦＯＸＯ３Ａ遺伝子の染色体６に位置１０９０８０７９１で遺伝子座／多型ｒｓ１３２１７７９５の「Ｃ」対立遺伝子；およびＦＯＸＯ３Ａ遺伝子の染色体６に位置１０９０４１１５４で遺伝子座／多型ｒｓ２７６４２６４の「Ｃ」対立遺伝子からなる群から選択される第一の標的核酸配列の位置にハイブリッドを形成する十分な長さの第一の核酸であって、前記第一の標的核酸配列の前記位置、または前記第一の標的核酸配列相補体とハイブリッドを形成する前記第一の核酸を、１つ以上の容器内に含有するものおよび使用説明書を含むキット。
【請求項８】
ＦＯＸＯ３Ａ遺伝子座ハプロタイプの少なくとも１つの対立遺伝子の５’および３’にハイブリダイズする、５’および３’のオリゴヌクレオチドを包含し、ＦＯＸＯ３Ａ遺伝子座ハプロタイプの対立遺伝子は、ＦＯＸＯ３Ａ遺伝子の染色体６に位置１０９０１５２１１で遺伝子座／多型ｒｓ２８０２２９２の「Ｇ」対立遺伝子、ＦＯＸＯ３Ａ遺伝子の染色体６に位置１０９０８０７９１で遺伝子座／多型ｒｓ１３２１７７９５の「Ｃ」対立遺伝子、およびＦＯＸＯ３Ａ遺伝子の染色体６に位置１０９０４１１５４で遺伝子座／多型ｒｓ２７６４２６４の「Ｃ」対立遺伝子からなる群より選択される、１以上のオリゴヌクレオチドを備えたキット。
【請求項９】
前記オリゴヌクレオチドは、２５〜２５００塩基対離れてハイブリダイズする、請求項８に記載のキット。
【請求項１０】
前記オリゴヌクレオチドは、１００〜５００塩基対離れてハイブリダイズする、請求項８に記載のキット。
【請求項１１】
前記オリゴヌクレオチドが、ＳＥＱ  ＩＤ  Ｎｏ．２〜９に記載のヌクレオチドを包含する、請求項８に記載のキット。
【請求項１２】
前記オリゴヌクレオチドが、天然および／または合成組成物であるか；標識されたオリゴヌクレオチドである、請求項８に記載のキット。
【請求項１３】
ＤＮＡサンプリング方法をさらに含む、請求項８に記載のキット。
【請求項１４】
前記ＤＮＡサンプリング方法が、基質；ＤＮＡ精製試薬；ＰＣＲ試薬；および対立遺伝子検出方法から選択される、請求項１３に記載のキット。
【請求項１５】
ＦＯＸＯ３Ａハプロタイプの少なくとも１つの対立遺伝子の存在を試験する方法において、
ａ）細胞サンプルから核酸サンプルを分離する工程；
ｂ）対立遺伝子のハイブリッド形成および増幅が生じる条件下に基づいて、ＦＯＸＯ３Ａハプロタイプの少なくとも１つの対立遺伝子に５’および３’を特異的にハイブリッド形成する少なくとも１つのプライマーと、核酸サンプルを接触させる工程；および
ｃ）対立遺伝子検出方法により増幅産物の検出工程
を含有する方法。
【請求項１６】
少なくとも１つのプライマーは、ＳＥＱ  ＩＤ  ＮＯＳ．５〜８からなる群から選択される、請求項１５に記載の方法。
【請求項１７】
寿命と関連のある遺伝子の遺伝子発現レベルを観測することによって、対象の治療を治療薬で観測する方法において、
ａ）治療薬の投与前に対象から得られた前投与サンプルにおいて、遺伝子発現レベルを検出する工程；
ｂ）対象から得られた１つ以上の投与後サンプルにおいて、遺伝子発現のレベルを検出する工程；
ｃ）投与前後サンプルにおいて遺伝子発現のレベルを比較して、治療薬の遺伝子発現への効果を分析する工程；
を含有する方法。
【請求項１８】
遺伝子発現のレベルを検出する工程は、寿命と関連のある遺伝子の、タンパク質、ｍＲＮＡまたはＤＮＡ転写レベルの少なくとも１つを検出する、請求項１７に記載の方法。
【請求項１９】
長寿と関連のある遺伝子は、ＦＯＸＯ３Ａ、ＬＯＣ１００１３０９６６、ＦＯＸＯ３Ａのヒト以外の相同物およびＬＯＣ１００１３０９６６のヒト以外の相同物からなる群から選択される、請求項１７に記載の方法。
【請求項２０】
死亡、加齢関係の疾患またはさらなる物理的機能の予想を助けるため、危険率の計算において「ＧＣＣ」ＦＯＸＯ３Ａハプロタイプの有無の使用。
【手続補正書】
【提出日】平成24年8月6日(2012.8.6)
【手続補正１】
【補正対象書類名】特許請求の範囲
【補正対象項目名】全文
【補正方法】変更
【補正の内容】
【特許請求の範囲】
【請求項１】
対物レンズを有するビデオカメラを用いて血液分析を行なう方法であり、前記方法は付属器の焦点画像を必要としない方法であって、下記工程、
（１）前記対物レンズが個体の一部を形成する前記付属器の少なくとも一部によって少なくとも部分的に、完全に塞がれるように、前記ビデオカメラを配置する工程であって、該工程が、前記付属器を前記対物レンズのフレームに直面して又は前記対物レンズの一部を塞ぐ制限フレームに直面して配置することによる工程、
（２）前記ビデオカメラを操作する工程、及び
（３）前記ビデオカメラからの色信号を解析して色及び色変化をモニターして前記付属器内の血流量についての情報を推定する工程、
を含むことを特徴とする方法。
【請求項２】
前記付属器を携帯光源で照射する工程を含む、請求項１に記載の方法。
【請求項３】
前記携帯光源が、複数の波長を連続的及び反復的に透過する、請求項２に記載の方法。
【請求項４】
前記光源が、色信号解析を行う装置と接続し、前記信号解析が光の変化と同期されるか、又は前記光の変化が生理的パラメーターと同期される前記請求項２又は３に記載の方法。
【請求項５】
前記ビデオカメラが携帯用であり、移動通信装置の一部を形成する、請求項１〜４のいずれか１項に記載の方法。
【請求項６】
前記移動通信装置内で前記信号解析を行なう、請求項５に記載の方法。
【請求項７】
前記ビデオカメラが、ディスプレイを含む携帯装置の一部を形成し、かつ前記信号解析によって得られたデータを前記装置のディスプレイ上に表示する、請求項１〜６のいずれか１項に記載の方法。
【請求項８】
前記ビデオカメラが、音声出力を含む携帯装置の一部を形成し、かつ前記信号解析によって得られたデータを音声情報として出力する、請求項１〜７のいずれか１項に記載の方法。
【請求項９】
前記ビデオカメラがウェブカメラである、請求項１〜４のいずれか１項に記載の方法。
【請求項１０】
前記情報が、血流量、脈拍数、パルス波形、心拍変動、及び呼吸数から選択される少なくとも１つのパラメーターに関連する、請求項１〜９のいずれか１項に記載の方法。
【請求項１１】
前記情報が血液成分に関連する、請求項１〜１０のいずれか１項に記載の方法。
【請求項１２】
前記ビデオカメラがビデオディスプレイと関連づけられ、かつビデオ、フィルム若しくはムービーを使用者に表示する工程、及び前記解析信号から検出された前記使用者の心拍数の変化に応じて前記ビデオ、フィルム若しくはムービーの内容又はその順序を修正する工程を含む、請求項１〜１１のいずれか１項に記載の方法。
【請求項１３】
前記ビデオカメラが音声出力と関連づけられ、かつ音声ファイルの音楽を使用者に聞かせる工程、及び前記解析信号から検出された前記使用者の心拍数に応じて前記音声出力を修正する工程を含む、請求項１〜１２のいずれか１項に記載の方法。
【請求項１４】
請求項１〜１３のいずれか１項に記載の方法の実行を可能にするためのデータ解析用ソフトウェア。
【請求項１５】
ビデオカメラを含み、かつ請求項１４に記載のデータ解析用ソフトウェアを内蔵するモニタリングシステム。
【手続補正書】
【提出日】平成24年7月23日(2012.7.23)
【手続補正１】
【補正対象書類名】特許請求の範囲
【補正対象項目名】全文
【補正方法】変更
【補正の内容】
【特許請求の範囲】
【請求項１】
ヒトの心臓の心室（１１３）への植込みに適した心臓補助装置であって、
（ａ）半径方向インペラ手段（１０９）と該インペラ手段を駆動するロータ（１１９）とを内部に有するハウジングを備えるポンプであって、前記ロータおよび前記インペラ手段は、いずれも前記ハウジング内に流体力学的に浮上されるように配置されており、前記ポンプは、前記ロータを駆動するステータ（１２１）をさらに含む、ポンプと、
（ｂ）前記心室の壁をまたぐために前記心室（１１２）の内部から延在するように配置された入口カニューレ部分（１１１）であって、前記ステータは、前記装置が使用されているときに前記心室の前記内部に設置されるように前記入口カニューレ部分の内部にある、入口カニューレ部分と、
（ｃ）前記インペラ手段によって駆動される血液の出口（１０３）であって、該出口は、前記入口カニューレ部分と実質的に直交しており、前記出口および前記インペラ手段は、前記装置が使用されているときに前記心臓の外にあるように配置されている、出口と、を備え、
前記インペラ手段は、複数のインペラブレードと当該インペラブレード用のシュラウド手段とを備え、
前記シュラウド手段は、前記インペラブレードの交互の偶数番目に対する一連の交互の前シュラウド（１１７）と、前記インペラブレードの交互の奇数番目に対する交互の後シュラウド（１１８）とを備え、
各前記ブレードは、前記シュラウドそれぞれの交互の１つによって隣接するブレードに接続されている装置。